(57)【要約】【課題】  猫や犬等のペットに流れ落ちる水を飲ませることができ、しかも電動ポンプが動かなくなってもペットに電動ポンプで吸い上げた飲料水を飲ませることができるペット用水飲み器を提供する。【解決手段】  飲料水を貯水するタンク２と、器状をなしてペットが飲水可能となるように飲料水を貯めると共にオーバーフローにより飲料水をタンク２に落下させる水貯留部１３とを備え、タンク２から飲料水を吸い上げる電動ポンプ１７と、電動ポンプ１７で吸い上げた飲料水を水貯留部１３側に落下させる吐出管２４とが設けられている。【選択図】図１
2013106558.tif 000002
【特許請求の範囲】
【請求項１】
飲料水を貯水するタンク（２）と、器状をなしてペットが飲水可能となるように飲料水を貯めると共にオーバーフローにより飲料水をタンク（２）に落下させる水貯留部（１３）とを備え、タンク（２）から飲料水を吸い上げる電動ポンプ（１７）と、電動ポンプ（１７）で吸い上げた飲料水を水貯留部（１３）側に落下させる吐出管（２４）とが設けられていることを特徴とするペット用水飲み器。
【請求項２】
前記電動ポンプ（１７）の圧力で吐出管（２４）から飲料水を落下させるように電動ポンプ（１７）の出力側が連結管（２５）により吐出管（２４）の吸入側に連結されていることを特徴とする請求項１に記載のペット用水飲み器。
【請求項３】
前記吐出管（２４）から落下した飲料水を受ける有底筒状のケース（３５）が設けられ、ケース（３５）の上端開口を塞ぐように簀の子状の蓋体（３６）が設けられ、吐出管（２４）から落下した飲料水を蓋体（３６）を通してケース（３５）に受けさせると共に、ケース（３５）の上端開口から蓋体（３６）を通してオーバーフローさせて水貯留部（１３）に流出させるようにしたことを特徴とする請求項１又は２に記載のペット用水飲み器。
【請求項４】
水貯留部（１３）に前記ケース（３５）が上下貫通状に形成され、ケース（３５）の底部（３５ａ）に、ケース（３５）で受けた飲料水の一部をタンク（２）に落下させる流出孔（３７）が設けられていることを特徴とする請求項３に記載のペット用水飲み器。
【請求項５】
前記タンク（２）の下端部にトレイ（８）が周方向全周に亘って外方突出するように設けられていることを特徴とする請求項１〜４のいずれかに記載のペット用水飲み器。
【請求項６】
前記タンク（２）は筒状のタンク側壁（５）とタンク側壁（５）の下端開口を塞ぐタンク底壁（６）とを備える上端が開口した有底筒状に形成され、タンク（２）に外嵌するカバー体（３）が設けられ、このカバー体（３）は、上端が閉塞した筒状に形成されて、タンク側壁（５）の周囲を取り囲む筒状のカバー側壁（１１）と、カバー側壁（１１）の上端部から内方に突出された天壁部（１２）と、天壁部（１２）の内周端部から下方に凹状に没入した水貯留部（１３）とを備え、前記吐出管（２４）が天壁部（１２）から上方に突出され、吐出管（２４）の外方側を覆うように天壁部（１２）から上方に突出した水飛散防止用の仕切体（２７）が設けられていることを特徴とする請求項１〜５のいずれかに記載のペット用水飲み器。
【請求項７】
前記電動ポンプ（１７）はタンク（２）内に配置され、電動ポンプ（１７）の水吸入側に浄化フィルター部（２１）が設けられ、電動ポンプ（１７）は浄化フィルター部（２１）を通してタンク（２）内の飲料水を吸入し、その飲料水を吐出管（２４）側に送出するように構成されていることを特徴とする請求項１〜６のいずれかに記載のペット用水飲み器。
【発明の詳細な説明】
【技術分野】
【０００１】
本発明は、猫や犬等のペットに飲料水を飲ませるためのペット用水飲み器に関するものである。
【背景技術】
【０００２】
ペット用水飲み器には、飲料水を貯水する下部容器の上方に上部貯留部を設け、下部容器内の飲料水を電動ポンプで吸い上げて上部貯留部に送り、上部貯留部から飲料水を滑らかな傾斜水路を通して下部容器に流し、傾斜水路を流れる飲料水を猫や犬等のペットに飲ませるようにしたものがある（例えば引用文献１）。
【先行技術文献】
【特許文献】
【０００３】
【特許文献１】特開２００３−５２２６９号公報
【発明の概要】
【発明が解決しようとする課題】
【０００４】
しかし、従来の場合、下部容器から電動ポンプで吸い上げた飲料水を単に上部貯留部から滑らかな傾斜水路を通して下部容器に流すようにしただけであるため、猫や犬等のペットが蛇口等から流れ落ちる水を好む習性を生かして水を飲ませることができず、ペットがペット用水飲み器にあまり興味を示さないという問題があった。即ち、ペットは本能的に流れ落ちる水が美味しく新鮮な水であることが解っており、蛇口等から流れ落ちる水を好むが、従来では流れ落ちる水を飲ませることができなかった。
【０００５】
また、電動ポンプが動かなくなると、傾斜水路にペットが飲むための飲料水が流れなくなり、ペットが電動ポンプで吸い上げた飲料水を飲むことができなくなるという不都合があった。
本発明は上記問題点に鑑み、猫や犬等のペットに流れ落ちる水を飲ませることができ、しかも電動ポンプが動かなくなってもペットに電動ポンプで吸い上げた飲料水を飲ませることができるペット用水飲み器を提供することを目的としている。
【課題を解決するための手段】
【０００６】
本発明における課題解決のための具体的手段は、次の通りである。
この技術的課題を解決する本発明の技術的手段は、飲料水を貯水するタンク２と、器状をなしてペットが飲水可能となるように飲料水を貯めると共にオーバーフローにより飲料水をタンク２に落下させる水貯留部１３とを備え、タンク２から飲料水を吸い上げる電動ポンプ１７と、電動ポンプ１７で吸い上げた飲料水を水貯留部１３側に落下させる吐出管２４とが設けられている点にある。
【０００７】
また、本発明の他の技術的手段は、前記電動ポンプ１７の圧力で吐出管２４から飲料水を落下させるように電動ポンプ１７の出力側が連結管２５により吐出管２４の吸入側に連結されている点にある。
また、本発明の他の技術的手段は、前記吐出管２４から落下した飲料水を受ける有底筒状のケース３５が設けられ、ケース３５の上端開口を塞ぐように簀の子状の蓋体３６が設けられ、吐出管２４から落下した飲料水を蓋体３６を通してケース３５に受けさせると共に、ケース３５の上端開口から蓋体３６を通してオーバーフローさせて水貯留部１３に流出させるようにした点にある。
【０００８】
また、本発明の他の技術的手段は、水貯留部１３に前記ケース３５が上下貫通状に形成され、ケース３５の底部３５ａに、ケース３５で受けた飲料水の一部をタンク２に落下させる流出孔３７が設けられている点にある。
また、本発明の他の技術的手段は、前記タンク２の下端部にトレイ８が周方向全周に亘って外方突出するように設けられている点にある。
【０００９】
また、本発明の他の技術的手段は、前記タンク２は筒状のタンク側壁５とタンク側壁５の下端開口を塞ぐタンク底壁６とを備える上端が開口した有底筒状に形成され、タンク２に外嵌するカバー体３が設けられ、このカバー体３は、上端が閉塞した筒状に形成されて、タンク側壁５の周囲を取り囲む筒状のカバー側壁１１と、カバー側壁１１の上端部から内方に突出された天壁部１２と、天壁部１２の内周端部から下方に凹状に没入した水貯留部１３とを備え、前記吐出管２４が天壁部１２から上方に突出され、吐出管２４の外方側を覆うように天壁部１２から上方に突出した水飛散防止用の仕切体２７が設けられている点にある。
【００１０】
また、本発明の他の技術的手段は、前記電動ポンプ１７はタンク２内に配置され、電動ポンプ１７の水吸入側に浄化フィルター部２１が設けられ、電動ポンプ１７は浄化フィルター部２１を通してタンク２内の飲料水を吸入し、その飲料水を吐出管２４側に送出するように構成されている点にある。
【発明の効果】
【００１１】
本発明によれば、タンクから飲料水を吸い上げる電動ポンプと、電動ポンプで吸い上げた飲料水を水貯留部に落下させる吐出管とが設けられているので、猫や犬等のペットが蛇口から流れ落ちる水を好む習性を生かして吐出管から水貯留部側に落下する水を飲ませることができ、猫や犬等のペットがペット用水飲み器に十分に興味を示すようになる。
また、水貯留部は、器状をなしてペットが飲水可能となるように飲料水を貯めると共にオーバーフローにより飲料水をタンクに落下させるので、電動ポンプが動かなくなっても、水貯留部にはペットが飲むための飲料水が貯まった状態になるため、ペットは電動ポンプで吸い上げた飲料水を飲むことができる。
【図面の簡単な説明】
【００１２】
【図１】本発明の第１実施形態を示すペット用水飲み器の分解斜視図である。
【図２】同ペット用水飲み器の斜視図である。
【図３】同ペット用水飲み器の平面図である。
【図４】同ペット用水飲み器の正面断面図である。
【図５】第２実施形態を示すペット用水飲み器の斜視図である。
【図６】同ペット用水飲み器の分解斜視図である。
【図７】同ペット用水飲み器の正面断面図である。
【発明を実施するための形態】
【００１３】
以下、本発明の実施の形態を図面に基づいて説明する。
図１〜図４は本発明の第１実施形態を示している。図１〜図４において、図示のペット用水飲み器１は、猫や犬等のペットのうち主として猫が水を飲むために使用されるもので、飲料水を貯水するタンク２と、タンク２に外嵌されるカバー体３とを備える。
タンク２は、合成樹脂等により上端が開口した有底角筒状に形成され、角筒状のタンク側壁５とタンク側壁５の下端開口を塞ぐ四角形状のタンク底壁６とを備える。タンク２は比較的小さくコンパクトに形成されており、８００ＣＣ程度の飲料水を収容できるようになっている。
【００１４】
タンク２の下端部にトレイ８がその周方向全周に亘って外方突出するように一体に形成され、トレイ８は四角形の皿状に形成されている。
カバー体３は合成樹脂等により上端が閉塞した角筒状に形成され、タンク側壁５の周囲を取り囲む角筒状のカバー側壁１１と、カバー側壁１１の上端部全周から内方に突出された天壁部１２と、天壁部１２の内周端部から下方に凹状に没入した水貯留部１３とを備える。
【００１５】
天壁部１２は水平な環状の板形状であってその外周がカバー側壁１１の上端縁に沿う四角形状に形成され、内周が水貯留部１３の上端縁に沿う円形状に形成されている。天壁部１２と水貯留部１３とでカバー側壁１１の上端開口を閉塞している。
水貯留部１３は円形の器状をなしており、ここに貯めた飲料水をペットが飲水できるように構成されている。
【００１６】
水貯留部１３の外周部であって天壁部１２よりも低い位置に、飲料水をタンク２にオーバーフローさせるための流水孔１５が周方向に間隔をおいて複数個形成されている。これら流水孔１５はタンク側壁５の上端部よりも低い位置に配置さており、流水孔１５を通して水貯留部１３の飲料水をオーバーフローによりタンク２に落下させるように構成されている。
【００１７】
タンク２内に該タンク２内の飲料水を吸い上げる電動ポンプ１７が設けられている。この電動ポンプ１７はタンク底壁６上に配置され、タンク底壁６に突設した複数の係合片１９等によって移動不能に係合保持されている。
電動ポンプ１７の水吸入側に浄化フィルター部２１が設けられ、浄化フィルター部２１にはスポンジ、濾紙、木綿や活性炭フィルター等が内蔵されており、電動ポンプ１７は浄化フィルター部２１を通してタンク２内の飲料水からほこりや被毛を除去した清潔な飲料水を吸入し、その飲料水を後述する吐出管２４側に送出するように構成されている。
【００１８】
なお、タンク側壁５の外面側にコード配置凹部２２が上下方向に形成され、これに対応してカバー側壁１１の下端部にコード挿通凹部２３が設けられており、電動ポンプ１７に接続された電源コードをコード配置凹部２２に上から下に配置して、カバー側壁１１のコード挿通凹部２３からカバー体３の外部に取り出すことができるようになっている。
電動ポンプ１７で吸い上げた飲料水を水貯留部１３側に落下させる吐出管２４が天壁部１２に設けられている。この吐出管２４は、天壁部１２の角部に起立状に設置され、円筒管により構成されて天壁部１２の角部から上方に突出した後に逆Ｕ字状に屈曲して水貯留部１３に向けて下方に突出されている。
【００１９】
電動ポンプ１７の圧力で吐出管２４から飲料水を落下させるように電動ポンプ１７の出力側が連結管２５により吐出管２４の吸入側に連結されている。連結管２５は円筒管をＬ字状に屈曲してなり、タンク２内に配置されている。
連結管２５はその下部がタンク底壁６に上方突設した支持台２８上に支持され、連結管２５の一端部が電動ポンプ１７の出力側に挿入嵌合されることにより電動ポンプ１７の出力側に連結されている。連結管２５の他端部には嵌合筒２６が突出されており、嵌合筒２６を天壁部１２の貫通孔３２に挿通して吐出管２４の吸入側に内嵌することによって、連結管２５の他端部が吐出管２４の吸入側に連結されている。これにより、電動ポンプ１７で連結管２５を通して飲料水を吐出管２４に送出し、電動ポンプ１７の圧力で吐出管２４から飲料水を落下させるようになっている。
【００２０】
吐出管２４の外方側を覆うように天壁部１２から上方に突出した水飛散防止用の仕切体２７が設けられている。仕切体２７は、一対の仕切板２９と一対の仕切板２９の下端部を連結する載置板３０とを備える。載置板３０は天壁部１２の角部上に載置され、一対の仕切板２９は猫の形状に形成されると共に互いに直交するように連結され、天壁部１２の角部の互いに直交する２つの外周縁部のやや外側から起立状に上方突出されている。載置板３０に円形の挿通孔３１が設けられ、この挿通孔３１を介して吐出管２４の基部が挿通されている。
【００２１】
一対の仕切板２９の下端部に載置板３０よりも下方に突出した突出係合部３３がそれぞれ形成されており、この突出係合部３３がカバー側壁１１の上端部に外側から係合し、これにより仕切体２７のカバー体３に対する前後及び左右移動を規制するようになっている。
水貯留部１３の吐出管２４の近傍位置に、吐出管２４から落下した飲料水を受ける有底円筒状のケース３５が設けられ、ケース３５は水貯留部１３に上下貫通状に一体形成されている。ケース３５の上端の高さは前記流水孔１５の下端に一致する高さに設定され、又は流水孔１５の下端よりもやや低い位置に設定されている。
【００２２】
ケース３５の上端開口を塞ぐように簀の子状の蓋体３６が設けられ、吐出管２４から落下した飲料水を蓋体３６を通してケース３５に受けさせると共に、ケース３５の上端開口から蓋体３６を通してオーバーフローさせて水貯留部１３に流出させるようにしている。
ケース３５の底部３５ａに、ケース３５で受けた飲料水の一部をタンク２に落下させる流出孔３７が設けられている。
【００２３】
上記第１実施形態によれば、タンク２内の飲料水は電動ポンプ１７で吸い上げられて連結管２５を通して吐出管２４に送出され、電動ポンプ１７の圧力で飲料水は吐出管２４から水貯留部１３側に落下する。
このとき、猫や犬等のペットが蛇口等から流れ落ちる水を好む習性を生かして吐出管２４から水貯留部１３側に落下する水を飲ませることができ、猫や犬等のペットがペット用水飲み器１に十分に興味を示すようになる。
【００２４】
しかも、吐出管２４から飲料水を自然落下よりも強い力で落下させることができ、吐出管２４から落下する水が蛇口から流れ出る水により近いものとなり、猫や犬等のペットが吐出管２４から流れ落ちる水に、より一層興味を示す。
また、吐出管２４は、天壁部１２から上方に突出した後に逆Ｕ字状に屈曲して水貯留部１３に向けて下方に突出された円筒管により構成されているので、吐出管２４は猫や犬等のペットが興味を示す蛇口によく似た形状になり、さらにペットの興味を引くことが可能になる。
【００２５】
また、吐出管２４から落下する飲料水がペット用水飲み器１の外側に飛び散るのを、水飛散防止用の仕切体２７で効果的に防ぐことができ、ペット用水飲み器１の周囲が飲料水で濡れるのを防止できる。
さらに、タンク２の下端部にトレイ８が周方向全周に亘って外方突出するように形成されているので、猫や犬等のペットが吐出管２４から落下する飲料水を飲む際や水貯留部１３の飲料水を飲む際に、周囲に飛び散る飲料水をトレイ８で受けて、ペット用水飲み器１の周囲が飲料水で濡れるのを防ぐことができる。
【００２６】
また、タンク２内の飲料水を電動ポンプ１７で吸い上げる際には、電動ポンプ１７は浄化フィルター部２１を介してタンク２内の飲料水を吸入して吐出管２４側に送出するので、タンク２内の飲料水からほこりや被毛を除去した清潔な飲料水を水貯留部１３側に供給することができる。
次に、吐出管２４から落下した飲料水は蓋体３６を通してケース３５に受けられ、ケース３５の上端開口から蓋体３６を通してオーバーフローにより水貯留部１３に流出する。ケース３５で受けた飲料水の一部は流出孔３７を通してタンク２に落下する。
【００２７】
このとき、吐出管２４から落下した飲料水をケース３５で受けることにより、吐出管２４から落下した飲料水が水貯留部１３に当たってペット用水飲み器１の外側に飛び散るのを防ぐことができる。
また、このとき、簀の子状の蓋体３６で飲料水を細かく拡散させて泡を発生させ、これをケース３５で受けて、水が落下するときの水音を低減することができるし、また、ケース３５からオーバーフローして流出しようとする飲料水に吐出管２４から落下した飲料水がぶつかり合うことによっても、泡を発生させて飲料水の落下音を消音することができ、ケース３５と蓋体３６とで飲料水の落下音を効果的に消音することができる。
【００２８】
従って、ペット用水飲み器１を部屋等に設置しても、吐出管２４から落下する飲料水の水音で部屋に騒音が生じるのを防止することができる。
しかも、ケース３５で受けた飲料水の一部を流出孔３７からタンク２に落下させることにより、吐出管２４から流れ落ちた飲料水がケース３５の底部３５ａで跳ね返ってペット用水飲み器１の外側に飛び散るのを防止することができる。
【００２９】
次に、吐出管２４から落下した飲料水が水貯留部１３に流出することにより、水貯留部１３の飲料水が流水孔１５の高さに達すると、流水孔１５を通してオーバーフローによりタンク２に落下する。その結果、水貯留部１３の飲料水をオーバーフローによりスムーズにタンク２内に戻して、飲料水をタンク２と水貯留部１３との間で円滑に循環させることができる。
【００３０】
この場合、飲料水の流水孔１５を通してのタンク２への落下は、タンク２とカバー体３とで密閉状に囲まれた空間内でなされるため、この際の飲料水の落下音が部屋等に大きな騒音を生じさせることもない。
そして、水貯留部１３は、器状をなしてペットが飲水可能となるように飲料水を貯めると共にオーバーフローにより飲料水をタンク２に落下させるので、停電等で電動ポンプ１７が動作しなくなっても、水貯留部１３にはペットが飲むための飲料水が貯まった状態になるため、ペットは電動ポンプ１７で吸い上げた飲料水を飲むことができる。
【００３１】
次に、タンク２に飲料水を補給する場合には、ケース３５又は水貯留部１３に上から飲料水を注ぎ込めばよく、ケース３５に入った飲料水は流水孔１５を通してタンク２に流れ落ち、また、水貯留部１３の飲料水が流水孔１５の高さに達すると、流水孔１５を通してオーバーフローによりタンク２に流れ落ちる。従って、カバー体３をタンク２から取り外すことなく、タンク２に飲料水を簡単に補給することができる。
【００３２】
このとき、タンク２に飲料水が貯まって、タンク２内の飲料水がケース３５の底壁３５ａの高さよりも高くなると、タンク２内の飲料水が流出孔３７を通してケース３５内に流入するため、ケース３５内を見ることによりタンク２内の飲料水の水位を簡単に目視することができ、ケース３５内を見ながらタンク２に飲料水を所望の水位まで正確に補給することができる。
【００３３】
図５〜図７は第２実施形態を示している。図５〜図７において、図示のペット用水飲み器１は、猫や犬等のペットが水を飲むために使用されるもので、タンク２は、上端が開口した有底円筒状に形成され、円筒状のタンク側壁５と円形状のタンク底壁６とを備え、トレイ８は円形の皿状に形成されている。
カバー体３は上端が閉塞した円筒状に形成され、円筒状のカバー側壁１１とカバー側壁１１の上端部から内方に突出された天壁部１２と、天壁部１２の内端部及びカバー側壁１１の上端部から下方に凹状に没入した水貯留部１３とを備える。
【００３４】
電動ポンプ１７で吸い上げた飲料水を水貯留部１３側に落下させる吐出管２４は、天壁部１２に起立状に設置されている。この吐出管２４は比較的上下に短い円筒体により構成され、下端面から上方に伸びた吸入孔４１と吸入孔４１の上端から斜め下方に傾斜してケース３５の上端開口に向けて外側面に開口した吐出孔４２とを有しており、電動ポンプ１７で吸い上げた飲料水が連結管２５を通して吐出管２４下端から吸入孔４１に入り吐出孔４２から水貯留部１３側に（ケース３５の上端開口に向けて）落下するように構成されている。
【００３５】
また、第２実施形態では前記第１実施形態における仕切体２７は省略されている。その他の点は前記第１実施形態の場合と同様の構成である。
第２実施形態の場合も、第１実施形態の場合と同様に、猫や犬等のペットが蛇口等から流れ落ちる水を好む習性を生かして吐出管２４から水貯留部１３側に落下する水を飲ませることができ、猫や犬等のペットがペット用水飲み器１に十分に興味を示すようになる。
【００３６】
また、停電等で電動ポンプ１７が動作しなくなっても、水貯留部１３にはペットが飲むための飲料水が貯まった状態になるため、ペットは電動ポンプ１７で吸い上げた飲料水を飲むことができる。
なお、前記実施形態では、タンク２と水貯留部１３とを別体に形成しているが、これに代え、タンク２と水貯留部１３とを一体に形成するようにしてもよいし、タンク２の上部に水貯留部１３を有する蓋部材を着脱自在に装着するようにしてもよい。
【００３７】
また、前記実施形態では、タンク２の下端部にトレイ８が周方向全周に亘って外方突出するように一体に形成されているが、これに代え、タンク２とトレイ８とを別体に形成し、トレイ８上にタンク２を載置固定し、又はタンク２の下端部にトレイ８を外嵌固定するようにしてもよい。
【符号の説明】
【００３８】
１      ペット用水飲み器
２      タンク
３      カバー体
５      タンク側壁
６      タンク底壁
８      トレイ
１１    カバー側壁
１２    天壁部
１３    水貯留部
１５    流水孔
１７    電動ポンプ
２１    浄化フィルター部
２４    吐出管
２５    連結管
２７    仕切体
３５    ケース
３６    蓋体
３７    流出孔
【図１】
2013106558.tif 000003
【図２】
2013106558.tif 000004
【図３】
2013106558.tif 000005
【図４】
2013106558.tif 000006
【図５】
2013106558.tif 000007
【図６】
2013106558.tif 000008
【図７】
2013106558.tif 000009